(57)【要約】【課題】システム全体の消費電力の無駄を低く抑えることができる光中継システム１０を提供する。【解決手段】本発明の光中継システム１０は、複数の中継装置３０とネットワーク制御装置２０を備え、ネットワーク制御装置２０は、所定以上の光信号の劣化を報告した中継装置３０の上流の中継装置３０内の再生中継器３５で当該光信号を再生させる。また、ネットワーク制御装置２０は、再生中継器３５による信号再生をやめても信号の劣化が許容範囲内である場合に、当該再生中継器３５よる信号再生を停止させる。【選択図】図１
2011259132.tif 000002
【特許請求の範囲】
【請求項１】
波長多重伝送により光信号を中継する光中継システムであって、
光信号を中継する複数の中継装置と、
前記複数の中継装置のそれぞれを制御するネットワーク制御装置と
を備え、
それぞれの前記中継装置は、
波長選択スイッチと、
波長毎のそれぞれの光信号の劣化度を測定し、測定した劣化度を、対応する光信号を識別する信号ＩＤおよび自中継装置を識別する中継装置ＩＤと共に前記ネットワーク制御装置へ通知する劣化度測定部と、
前記ネットワーク制御装置から信号ＩＤを含む再生指示を受信した場合に、当該信号ＩＤに対応する光信号を再生する再生中継器と
を有し、
前記ネットワーク制御装置は、
中継装置ＩＤ毎に、当該中継装置ＩＤに対応する中継装置が有する再生中継器を識別する再生中継器ＩＤ、および、当該再生中継器が使用中であるか否かを示す使用情報を保持する機器情報保持部と、
信号ＩＤ毎に、当該信号ＩＤに対応する光信号の中継経路上に存在する複数の中継装置について当該光信号が中継される順序を特定する情報と共に、当該光信号の中継経路上に存在する中継装置の中継装置ＩＤを保持する中継経路保持部と、
波長毎のそれぞれの光信号に許容される劣化度の閾値を保持する閾値保持部と、
信号ＩＤ毎に、当該信号ＩＤに対応する光信号について通知された劣化度を、当該劣化度を通知した中継装置の中継装置ＩＤに対応付けて保持する劣化度保持部と、
それぞれの前記中継装置から通知された劣化度を、当該劣化度と共に通知された信号ＩＤおよび中継装置ＩＤに対応付けて前記劣化度保持部に格納する劣化度収集部と、
信号ＩＤ毎に再生中継器割当処理を実行する再生中継器割当管理部と
を有し、
前記再生中継器割当管理部は、前記再生中継器割当処理において、
信号ＩＤ毎に、前記劣化度保持部および前記閾値保持部を参照し、閾値以上の劣化度を通知した中継装置が存在する場合に、当該閾値以上の劣化度に対応付けられている中継装置ＩＤを前記劣化度保持部から抽出し、
抽出した中継装置ＩＤよりも、当該信号ＩＤに対応する光信号の中継経路の上流に存在する中継装置の中継装置ＩＤを前記中継経路保持部内で特定し、
特定した中継装置ＩＤの中で、未使用の再生中継器を有する中継装置の中継装置ＩＤを前記機器情報保持部内で選択し、
選択した中継装置ＩＤに対応する中継装置に、閾値以上の劣化度が通知された光信号の信号ＩＤを含む再生指示を送信することを特徴とする光中継システム。
【請求項２】
請求項１に記載の光中継システムであって、
前記再生中継器割当管理部は、前記再生中継器割当処理において、
信号ＩＤ毎に、閾値以上の劣化度を通知した中継装置よりも、当該信号ＩＤに対応する光信号の中継経路の上流に存在する中継装置の中で、未使用の再生中継器を有する中継装置が複数存在する場合、当該未使用の再生中継器を有する中継装置の中で、当該信号ＩＤに対応する光信号の中継経路の最も下流に存在する中継装置の中継装置ＩＤを前記中継経路保持部内で特定することを特徴とする光中継システム。
【請求項３】
請求項２に記載の光中継システムであって、
前記機器情報保持部は、
中継装置ＩＤ毎に、当該中継装置ＩＤに対応する中継装置が有する再生中継器が使用中である場合に当該再生中継器が再生している光信号の信号ＩＤをさらに保持し、
前記再生中継器割当管理部は、
信号ＩＤ毎に、当該信号ＩＤに対応する光信号の中継経路上に、当該光信号を再生している再生中継器が存在する場合に、当該再生中継器において当該光信号の再生を停止した場合の各中継装置での当該光信号の劣化度を第１の仮想劣化度として算出し、算出した第１の劣化度がいずれも前記閾値未満である場合に、当該再生中継器を有する中継装置に、当該信号ＩＤを含む再生停止指示を送信する再生停止処理を実行し、
それぞれの前記中継装置の再生中継器は、
前記ネットワーク制御装置から再生停止指示を受信した場合に、当該再生停止指示に含まれている信号ＩＤに対応する光信号の再生を停止することを特徴とする光中継システム。
【請求項４】
請求項３に記載の光中継システムであって、
前記再生中継器割当管理部は、前記再生停止処理において、
信号ＩＤ毎に、当該信号ＩＤに対応する光信号を再生している再生中継器を有する中継装置の中継装置ＩＤを前記機器情報保持部から抽出し、
抽出した中継装置ＩＤに対応する中継装置よりも、当該信号ＩＤに対応する光信号の中継経路の下流に存在するそれぞれの中継装置の中継装置ＩＤを前記中継経路保持部内で特定し、
前記抽出した中継装置ＩＤに対応する中継装置から通知された光信号の劣化度を前記劣化度保持部内で特定し、特定した劣化度から再生前の光信号の劣化度と再生後の光信号の劣化度の差分を算出し、
算出した劣化度の差分を、前記劣化度保持部を参照して、前記下流に存在するそれぞれの中継装置から通知された劣化度に加えることにより、当該信号ＩＤに対応する光信号の中継経路上の各中継装置での第１の仮想劣化度を算出し、
算出した第１の仮想劣化度が、いずれも、前記閾値保持部が保持している閾値未満である場合に、前記抽出した中継装置ＩＤおよび当該信号ＩＤに対応付けられて前記機器情報保持部に格納されている使用情報を、未使用に変更すると共に、前記抽出した中継装置ＩＤに対応する中継装置に、当該信号ＩＤを含む再生停止指示を送信することを特徴とする光中継システム。
【請求項５】
請求項４に記載の光中継システムであって、
前記機器情報保持部は、
光信号の中継経路が変更された場合に、前記再生停止処理を実行することを特徴とする光中継システム。
【請求項６】
請求項５に記載の光中継システムであって、
前記ネットワーク制御装置は、
信号ＩＤ毎に、当該信号ＩＤに対応する光信号を再生中の再生中継器を有する中継装置の中継装置ＩＤを示す使用中装置ＩＤ、および、当該信号ＩＤに対応する光信号の再生を置換可能な再生中継器を有する中継装置の中継装置ＩＤを示す置換装置ＩＤを保持する置換情報保持部
をさらに有し、
前記再生中継器割当管理部は、
信号ＩＤ毎に、当該信号ＩＤに対応する光信号の中継経路上に当該光信号を再生している再生中継器を有する中継装置が存在する場合に、当該再生中継器による当該光信号の再生を、未使用の他の再生中継器で置換可能か否かを判定し、置換可能な未使用の再生中継器が存在する場合に、当該置換可能な未使用の再生中継器を有する中継装置の中継装置ＩＤを置換装置ＩＤとし、置換される側の再生中継器を有する中継装置の中継装置ＩＤを使用中装置ＩＤとして、当該信号ＩＤに対応付けて置換情報保持部に格納する置換情報作成処理を実行し、
前記再生中継器割当処理において、信号ＩＤ毎に、劣化を通知した中継装置の上流に存在する全ての中継装置の再生中継器が使用中である場合に、当該使用中の再生中継器のいずれかによる光信号の再生を置換可能な他の再生中継器を、前記置換情報作成処理によって情報が登録された後の前記置換情報保持部を参照して検索し、検索した中継装置に、置換される側の再生中継器によって再生されている光信号の信号ＩＤを含む再生指示を送信し、置換される側の再生中継器を有する中継装置に、当該再生中継器で再生していた光信号の信号ＩＤを含む再生停止指示を送信することで、当該中継装置の再生中継器を未使用状態にし、未使用状態となった再生中継器を有する中継装置に、劣化度が閾値を超えた光信号の信号ＩＤを含む再生指示を送信することを特徴とする光中継システム。
【請求項７】
請求項６に記載の光中継システムであって、
前記再生中継器割当管理部は、前記置換情報作成処理において、
信号ＩＤ毎に、当該信号ＩＤに対応する光信号を再生している再生中継器を有する中継装置の中継装置ＩＤを前記機器情報保持部から抽出し、
抽出した中継装置ＩＤに対応する中継装置よりも、当該信号ＩＤに対応する光信号の中継経路の下流に存在するそれぞれの中継装置の中継装置ＩＤを前記中継経路保持部内で特定し、
前記抽出した中継装置ＩＤに対応する中継装置から通知された光信号の劣化度を前記劣化度保持部内で特定し、特定した劣化度から再生前の光信号の劣化度と再生後の光信号の劣化度の差分を算出し、
算出した劣化度の差分を、前記劣化度保持部を参照して、前記下流に存在するそれぞれの中継装置から通知された劣化度に加えることにより、当該信号ＩＤに対応する光信号の中継経路上の各中継装置での第１の仮想劣化度を算出し、
前記抽出した中継装置に対応する中継装置よりも、当該信号ＩＤに対応する光信号の中継経路の上流に存在するそれぞれの中継装置から通知された劣化度、および、下流に存在するそれぞれの中継装置について算出した第１の仮想劣化度を用いて、前記抽出した中継装置に対応する中継装置以外の中継装置であって、当該信号ＩＤに対応する光信号の中継経路上に存在する中継装置内の未使用の再生中継器毎に、当該再生中継器を用いた場合の当該信号ＩＤに対応する光信号の中継経路上のそれぞれの中継装置によって測定される劣化度を第２の仮想劣化度として算出し、
算出した第２の仮想劣化度のいずれもが前記閾値未満である場合に、当該第２の仮想劣化度の算出過程で使用した再生中継器を有する中継装置の中継装置ＩＤを置換装置ＩＤとし、前記抽出した中継装置ＩＤを使用中装置ＩＤとして、それぞれ対象となっている信号ＩＤに対応付けて前記置換情報保持部に格納することを特徴とする光中継システム。
【請求項８】
請求項１から７のいずれか一項に記載の光中継システムであって、
前記ネットワーク制御装置は、
信号ＩＤ毎に、当該信号ＩＤに対応する光信号の優先度を保持する優先度保持部
をさらに有し、
前記再生中継器割当管理部は、
前記優先度保持部を参照して、優先度の高い順に、それぞれの光信号の信号ＩＤ毎に、前記再生中継器割当処理を実行することを特徴とする光中継システム。
【請求項９】
光信号を中継する複数の中継装置を有する光中継システムにおいて、それぞれの中継装置を制御するネットワーク制御装置であって、
それぞれの中継装置を識別する中継装置ＩＤ毎に、当該中継装置ＩＤに対応する中継装置が有する再生中継器を識別する再生中継器ＩＤ、および、当該再生中継器が使用中であるか否かを示す使用情報を保持する機器情報保持部と、
それぞれの波長の光信号を識別する信号ＩＤ毎に、当該信号ＩＤに対応する光信号の中継経路上に存在する複数の中継装置について当該光信号が中継される順序を特定する情報と共に、当該光信号の中継経路上に存在する中継装置の中継装置ＩＤを保持する中継経路保持部と、
波長毎のそれぞれの光信号に許容される劣化度の閾値を保持する閾値保持部と、
信号ＩＤ毎に、当該信号ＩＤに対応する光信号について通知された劣化度を、当該劣化度を通知した中継装置の中継装置ＩＤに対応付けて保持する劣化度保持部と、
それぞれの前記中継装置から通知された劣化度を、当該劣化度と共に通知された信号ＩＤおよび中継装置ＩＤに対応付けて前記劣化度保持部に格納する劣化度収集部と、
信号ＩＤ毎に再生中継器割当処理を実行する再生中継器割当管理部と
を有し、
前記再生中継器割当管理部は、前記再生中継器割当処理において、
信号ＩＤ毎に、前記劣化度保持部および前記閾値保持部を参照し、閾値以上の劣化度を通知した中継装置が存在する場合に、当該閾値以上の劣化度に対応付けられている中継装置ＩＤを前記劣化度保持部から抽出し、
抽出した中継装置ＩＤよりも、当該信号ＩＤに対応する光信号の中継経路の上流に存在する中継装置の中継装置ＩＤを前記中継経路保持部内で特定し、
特定した中継装置ＩＤの中で、未使用の再生中継器を有する中継装置の中継装置ＩＤを前記機器情報保持部内で選択し、
選択した中継装置ＩＤに対応する中継装置に、閾値以上の劣化度が通知された光信号の信号ＩＤを含む再生指示を送信することを特徴とするネットワーク制御装置。
【発明の詳細な説明】
【技術分野】
【０００１】
本発明は、波長多重伝送により光信号を中継する光中継システムに関する。
【背景技術】
【０００２】
波長多重伝送（WDM：Wavelength Division Multiplexing）を利用した光ネットワークにおけるノード装置では、多重された複数の波長内の一部の波長を分岐・挿入する光分岐挿入装置（OADM：Optical Add/Drop Multiplexer）が導入されている。また、近年、任意の波長の光信号の経路切り替えが可能な装置として、波長選択スイッチ（WSS：Wavelength Selective Switch）の導入が進んでいる。この波長選択スイッチを用いてネットワークを構築することで、光信号のみで構成されたネットワークにおいても簡単に光信号の経路を変更することが可能となる。
【０００３】
しかし、光ネットワークでは、光信号のまま中継を行うため、電気信号に変換して中継を行うネットワークと比較して光信号の劣化が累積することが問題である。そのため、光信号の長距離伝送を行う場合には、中継装置で光信号を一度電気信号に変換して信号再生を行う必要がある。下記の特許文献１には、光信号を電気信号に変換して再生する再生中継器を内蔵した波長選択スイッチが開示されている。
【先行技術文献】
【特許文献】
【０００４】
【特許文献１】特開２００９−１４７９１３号公報
【発明の概要】
【発明が解決しようとする課題】
【０００５】
しかし、上記の特許文献１に開示されている技術では、光ネットワークを構築した初期段階から光信号の経路を変更した場合に、再生中継器を経由せずに伝送される距離が変化し、光信号の品質が劣化し受信信号の復元が不可能となる場合がある。新しい経路においてどこに再生中継器を配置すべきかは、各中継装置における信号品質の劣化度を調査しなければ決定することができない。
【０００６】
そのため、波長選択スイッチを使用して光信号の中継経路を迅速に切り替えたとしても、各中継装置における信号品質の劣化度の調査が終了しなければ、変更後の経路において光信号が適切に伝送される保証はなく、波長選択スイッチによる経路切替の簡便さというメリットが得られないことになる。
【０００７】
また、あらゆる経路変更に対応するために、全ての中継装置に再生中継器を設け、全ての中継装置で光信号を常時再生することも考えられるが、再生が不要であるにもかかわらず再生を行う場合があり、再生中継器の消費電力の無駄となる。さらに、各中継装置には波長多重された複数の光信号が通過することになるため、全ての中継装置に全波長分の再生中継器を常時稼動させることは、消費電力の無駄が大きい。
【０００８】
本発明は上記事情を鑑みてなされたものであり、本発明の目的は、光信号の再生が必要な場合に再生中継器を稼動させることで光中継システム全体の消費電力の無駄を低く抑えることにある。
【課題を解決するための手段】
【０００９】
上記課題を解決するために、本発明では、予め定められた閾値以上の光信号の劣化を報告した中継装置の上流の中継装置内の再生中継器で当該光信号を再生する。
【００１０】
例えば、本発明は、波長多重伝送により光信号を中継する光中継システムであって、
光信号を中継する複数の中継装置と、
前記複数の中継装置のそれぞれを制御するネットワーク制御装置と
を備え、
それぞれの前記中継装置は、
波長選択スイッチと、
波長毎のそれぞれの光信号の劣化度を測定し、測定した劣化度を、対応する光信号を識別する信号ＩＤおよび自中継装置を識別する中継装置ＩＤと共に前記ネットワーク制御装置へ通知する劣化度測定部と、
前記ネットワーク制御装置から信号ＩＤを含む再生指示を受信した場合に、当該信号ＩＤに対応する光信号を再生する再生中継器と
を有し、
前記ネットワーク制御装置は、
中継装置ＩＤ毎に、当該中継装置ＩＤに対応する中継装置が有する再生中継器を識別する再生中継器ＩＤ、および、当該再生中継器が使用中であるか否かを示す使用情報を保持する機器情報保持部と、
信号ＩＤ毎に、当該信号ＩＤに対応する光信号の中継経路上に存在する複数の中継装置について当該光信号が中継される順序を特定する情報と共に、当該光信号の中継経路上に存在する中継装置の中継装置ＩＤを保持する中継経路保持部と、
波長毎のそれぞれの光信号に許容される劣化度の閾値を保持する閾値保持部と、
信号ＩＤ毎に、当該信号ＩＤに対応する光信号について通知された劣化度を、当該劣化度を通知した中継装置の中継装置ＩＤに対応付けて保持する劣化度保持部と、
それぞれの前記中継装置から通知された劣化度を、当該劣化度と共に通知された信号ＩＤおよび中継装置ＩＤに対応付けて前記劣化度保持部に格納する劣化度収集部と、
信号ＩＤ毎に再生中継器割当処理を実行する再生中継器割当管理部と
を有し、
前記再生中継器割当管理部は、前記再生中継器割当処理において、
信号ＩＤ毎に、前記劣化度保持部および前記閾値保持部を参照し、閾値以上の劣化度を通知した中継装置が存在する場合に、当該閾値以上の劣化度に対応付けられている中継装置ＩＤを前記劣化度保持部から抽出し、
抽出した中継装置ＩＤよりも、当該信号ＩＤに対応する光信号の中継経路の上流に存在する中継装置の中継装置ＩＤを前記中継経路保持部内で特定し、
特定した中継装置ＩＤの中で、未使用の再生中継器を有する中継装置の中継装置ＩＤを前記機器情報保持部内で選択し、
選択した中継装置ＩＤに対応する中継装置に、閾値以上の劣化度が通知された光信号の信号ＩＤを含む再生指示を送信することを特徴とする光中継システムを提供する。
【発明の効果】
【００１１】
本発明によれば、光信号の再生が必要な場合に再生中継器を稼動させることで光中継システム全体の消費電力の無駄を低く抑えることができる。
【図面の簡単な説明】
【００１２】
【図１】本発明の一実施形態に係る光中継システム１０の構成を示すシステム構成図である。
【図２】中継装置３０の機能構成の一例を示すブロック図である。
【図３】ネットワーク制御装置２０の機能構成の一例を示すブロック図である。
【図４】機器情報保持部２８に格納されるデータの構造の一例を示す図である。
【図５】経路情報保持部２４に格納されるデータの構造の一例を示す図である。
【図６】信号ＩＤが「Ｓ００４」の光信号の中継経路における劣化度の分布を示す概念図である。
【図７】優先度保持部２５に格納されるデータの構造の一例を示す図である。
【図８】置換情報保持部２７に格納されるデータの構造の一例を示す図である。
【図９】ネットワーク制御装置２０の動作の一例を示すフローチャートである。
【図１０】第１の再生中継器割当処理（Ｓ２００）の一例を示すフローチャートである。
【図１１】光中継システム１０内で中継される光信号の流れを説明するための概念図である。
【図１２】第１の再生中継器割当処理の過程で作成されるリスト４０のデータ構造の一例を示す図である。
【図１３】置換情報作成処理（Ｓ２２０）の一例を示すフローチャートである。
【図１４】置換情報の作成過程を説明するための概念図である。
【図１５】置換情報の作成過程を説明するための概念図である。
【図１６】置換処理（Ｓ２３０）の一例を示すフローチャートである。
【図１７】第２の再生中継器割当処理（Ｓ３００）の一例を示すフローチャートである。
【図１８】中継経路変更前に光中継システム１０を流れる光信号を説明するための概念図である。
【図１９】再生停止処理（Ｓ３１０）の一例を示すフローチャートである。
【図２０】再生停止処理の過程を説明するための概念図である。
【図２１】再生停止処理の過程を説明するための概念図である。
【図２２】ネットワーク制御装置２０の機能を実現するコンピュータ５０の一例を示すハードウェア構成図である。
【発明を実施するための形態】
【００１３】
以下、本発明の実施の形態について図面を参照しながら説明する。
【００１４】
図１は、本発明の一実施形態に係る光中継システム１０の構成を示すシステム構成図である。光中継システム１０は、複数の端局装置１３、複数の中継装置３０、およびそれぞれの中継装置３０を制御するネットワーク制御装置２０を備える。
【００１５】
それぞれの端局装置１３は、例えばメタルケーブル等のアクセス回線１２を介して複数の通信装置１１に接続されている。また、端局装置１３間には、複数の中継装置３０が設けられ、端局装置１３と中継装置３０との間、および中継装置３０と中継装置３０との間は光ファイバケーブルで接続されている。また、それぞれの端局装置１３および中継装置３０は、メタルケーブル等の管理ネットワーク（図１の点線）を介してネットワーク制御装置２０と通信する。
【００１６】
それぞれの中継装置３０は、波長選択スイッチ（ＷＳＳ：Wavelength Selective Switch）を有しており、複数の波長の光信号が多重化された光信号を光ファイバケーブルを介して受け取り、受け取った光信号を、それぞれの波長の光信号に分離する。そして、中継装置３０は、それぞれの波長の光信号を、ネットワーク制御装置２０からの指示に従って送出先の他の中継装置３０または端局装置１３毎に再度多重化し、多重化した光信号を、他の中継装置３０または端局装置１３へ送出する。
【００１７】
また、それぞれの端局装置１３および中継装置３０は、他の端局装置１３または中継装置３０から受け取った波長毎の光信号の劣化度を測定し、測定した劣化度を管理ネットワークを介してネットワーク制御装置２０に通知する。また、それぞれの中継装置３０は、特定の波長の光信号を指定する再生指示を、管理ネットワークを介してネットワーク制御装置２０から受信した場合に、他の中継装置３０から受け取った波長毎の光信号を中継する際に、当該波長毎の光信号の中で再生指示によって指示された波長の光信号を再生して送出する。
【００１８】
ネットワーク制御装置２０は、管理ネットワークを介してそれぞれの端局装置１３および中継装置３０から波長毎の光信号の劣化度が通知された場合に、所定以上の劣化度となっている光信号について、当該光信号の中継経路上にあるいずれかの中継装置３０に当該光信号を指定する再生指示を送信する。
【００１９】
図２は、中継装置３０の機能構成の一例を示すブロック図である。中継装置３０は、複数の分波器３１、波長選択スイッチ（ＷＳＳ）３２、複数の合波器３３、劣化度測定部３４、再生中継器３５、および通信部３６を有する。
【００２０】
それぞれの分波器３１は、光ファイバケーブルを介して接続されている、中継元の端局装置１３または他の中継装置３０毎に設けられており、端局装置１３または他の中継装置３０から受信した光信号を、波長毎の光信号に分離してＷＳＳ３２へ送る。
【００２１】
ＷＳＳ３２は、それぞれの分波器３１から受け取った波長毎の光信号を、通信部３６を介して受け取ったネットワーク制御装置２０からの指示に従って、いずれかの合波器３３へ送る。また、再生中継器３５によって光信号が再生されている場合、ＷＳＳ３２は、再生前の光信号に代えて、再生中継器３５によって再生された光信号を合波器３３へ送る。
【００２２】
それぞれの合波器３３は、光ファイバケーブルを介して接続されている、中継先の端局装置１３または他の中継装置３０毎に設けられており、ＷＳＳ３２から出力されたそれぞれの波長毎の光信号を多重化して中継先の端局装置１３または他の中継装置３０へ送出する。
【００２３】
劣化度測定部３４は、例えば１時間に１回等の定期的なタイミング、あるいは、通信部３６を介してネットワーク制御装置２０から品質測定指示を受信したタイミングで、分波器３１によって分離された波長毎の光信号の劣化度を測定する。そして、劣化度測定部３４は、測定した劣化度、測定対象の光信号を識別する信号ＩＤ、および自中継装置３０を識別する中継装置ＩＤを含む品質情報を、通信部３６を介してネットワーク制御装置２０へ送る。
【００２４】
本実施形態において、劣化度とは、光信号の品質の劣化の程度を示す数値であり、品質の悪い光信号ほど高い数値を示す。本実施形態において、劣化度とは、例えばＳＮＲ（Signal to Noise ratio）の逆数である。
【００２５】
再生中継器３５は、通信部３６を介してネットワーク制御装置２０から信号ＩＤを含む再生指示を受信した場合に、当該信号ＩＤに対応する波長の光信号をＷＳＳ３２から取り出して再生し、再生した光信号をＷＳＳ３２に戻す。また、通信部３６を介してネットワーク制御装置２０から信号ＩＤを含む再生停止指示を受信した場合、再生中継器３５は、当該信号ＩＤに対応する光信号について実行している再生を停止する。
【００２６】
通信部３６は、管理ネットワークを介してネットワーク制御装置２０と通信し、管理ネットワークを介してネットワーク制御装置２０から受信した再生指示および再生停止指示を再生中継器３５へ送る。また、通信部３６は、管理ネットワークを介してネットワーク制御装置２０から受信した品質測定指示を劣化度測定部３４へ送ると共に、劣化度測定部３４から受け取った品質情報を、管理ネットワークを介してネットワーク制御装置２０へ送信する。
【００２７】
図３は、ネットワーク制御装置２０の機能構成の一例を示すブロック図である。ネットワーク制御装置２０は、通信部２１、経路変更部２２、劣化度収集部２３、経路情報保持部２４、優先度保持部２５、再生中継器割当部２６、置換情報保持部２７、機器情報保持部２８、および閾値保持部２９を有する。通信部２１は、管理ネットワークを介して端局装置１３および中継装置３０と通信する。
【００２８】
機器情報保持部２８は、例えば図４に示すように、それぞれの中継装置３０を識別する中継装置ＩＤ２８０に対応付けて、当該中継装置３０が有する再生中継器３５を識別する再生中継器ＩＤ２８１、当該再生中継器３５が使用中か否かを示す使用情報２８２、および当該再生中継器３５が使用中である場合に当該再生中継器３５が再生している波長の光信号を識別する信号ＩＤ２８３を保持する。中継装置ＩＤ２８０および再生中継器ＩＤ２８１は、各中継装置３０が設置された段階で予め登録される。使用情報２８２には、初期値としては「未使用」が格納される。
【００２９】
閾値保持部２９は、波長毎のそれぞれの光信号に許容される劣化度の閾値を保持している。本実施形態において、閾値保持部２９が保持する閾値は１つである。なお、他の形態として、波長毎の光信号に許容される劣化度が異なったり、中継装置３０や端局装置１３毎に光信号の復号能力に差がある等の場合には、波長、中継装置３０、または端局装置１３毎に、閾値が設けられてもよい。
【００３０】
経路情報保持部２４は、例えば図５に示すように、それぞれの波長の光信号を識別する信号ＩＤ２４０に対応付けて、当該光信号を中継する中継装置３０の中継装置ＩＤ２４１を保持している。また、経路情報保持部２４は、信号ＩＤ２４０および中継装置ＩＤ２４１に対応付けて、当該信号ＩＤ２４０に対応する光信号について、当該中継装置ＩＤ２４１から通知された劣化度２４２を保持する。
【００３１】
本実施形態において、中継装置ＩＤ２４１には、対応する光信号が伝達される順番で、当該光信号を中継する中継装置３０の中継装置ＩＤが格納されている。信号ＩＤ２４０および中継装置ＩＤ２４１の情報は、それぞれの光信号の中継経路が光中継システム１０の管理者によって決定された場合に設定される。
【００３２】
図６は、図５に例示した機器情報保持部２８内の情報において、信号ＩＤ２４０が「Ｓ００４」の光信号の中継経路における劣化度２４２の分布を示す概念図である。図６では黒丸が各端局装置１３または中継装置３０から通知された劣化度の値を示す。信号ＩＤ２４０が「Ｓ００４」の光信号は、端局装置１３Ａから出力された後に中継装置３０Ｄを介して中継装置３０Ｅに中継され、中継装置３０Ｅ内の再生中継器３５ｅによって再生され、中継装置３０Ｆおよび中継装置３０Ｇを介して端局装置１３Ｂに中継されている。
【００３３】
優先度保持部２５は、例えば図７に示すように、それぞれの波長の光信号を識別する信号ＩＤ２５０に対応付けて、当該光信号の優先度を保持する。優先度保持部２５内の情報は、光中継システム１０の管理者によって予め設定される。
【００３４】
置換情報保持部２７は、例えば図８に示すような置換情報２７０を保持する。置換情報２７０には、それぞれの波長の光信号を識別する信号ＩＤ２７１に対応付けて、当該光信号を再生中の再生中継器３５を有する中継装置３０の中継装置ＩＤを示す使用中装置ＩＤ２７２、および、当該光信号の再生を置換可能な他の再生中継器３５を有する中継装置３０の中継装置ＩＤを示す置換装置ＩＤ２７３が格納される。
【００３５】
次に、ネットワーク制御装置２０におけるその他の機能ブロックの動作について、図９以降の図面を用いて説明する。図９は、ネットワーク制御装置２０の動作の一例を示すフローチャートである。例えば電源が投入される等の所定のタイミングで、ネットワーク制御装置２０は、本フローチャートに示す動作を開始する。
【００３６】
まず、劣化度収集部２３は、通信部２１を介して端局装置１３または中継装置３０から品質情報を受信したか否かを判定する（Ｓ１００）。品質情報を受信した場合（Ｓ１００：Ｙｅｓ）、劣化度収集部２３は、受信した品質情報に含まれている信号ＩＤおよび中継装置ＩＤに対応付けて、当該品質情報に含まれている劣化度を経路情報保持部２４に格納し（Ｓ１０１）、再びステップＳ１００に示した処理を実行する。
【００３７】
一方、品質情報を受信していない場合（Ｓ１００：Ｎｏ）、再生中継器割当部２６は、各端局装置１３および中継装置３０における光信号の劣化度を確認するタイミングか否か（Ｓ１０２）、通信部２１を介して端局装置１３から信号ＩＤを含む受信エラーが通知されたか否か（Ｓ１０３）、および入力装置１７を介して光中継システム１０の管理者から再生中継器の再割り当てが指示されたか否か（Ｓ１０４）を判定する。光信号の劣化度を確認するタイミングとは、例えば１時間に１回等である。
【００３８】
光信号の劣化度を確認するタイミングである場合（Ｓ１０２：Ｙｅｓ）、受信エラーが通知された場合（Ｓ１０３：Ｙｅｓ）、または、再生中継器の再割り当てが指示された場合（Ｓ１０４：Ｙｅｓ）、再生中継器割当部２６は、後述する第１の再生中継器割当処理を実行し（Ｓ２００）、劣化度収集部２３は、再びステップＳ１００に示した処理を実行する。
【００３９】
一方、光信号の劣化度を確認するタイミングではなく（Ｓ１０２：Ｎｏ）、かつ、受信エラーが通知されておらず（Ｓ１０３：Ｎｏ）、かつ、再生中継器の再割り当てが指示されていない場合（Ｓ１０４：Ｎｏ）、経路変更部２２は、入力装置１７を介して光中継システム１０の管理者から中継経路の変更を指示されたか否かを判定する（Ｓ１０５）。中継経路の変更を指示されていない場合（Ｓ１０５：Ｎｏ）、劣化度収集部２３は、再びステップＳ１００に示した処理を実行する。
【００４０】
中継経路の変更を指示された場合（Ｓ１０５：Ｙｅｓ）、経路変更部２２は、光中継システム１０の管理者の指示に従って、対象となる端局装置１３または中継装置３０に中継経路の変更を指示することにより中継経路の変更を通信部２１を介して各中継装置３０に指示する（Ｓ１０６）。そして、経路変更部２２は、経路変更の対象となる光信号について、経路情報保持部２４内に保持されている中継経路上の中継装置３０の中継装置ＩＤを変更する（Ｓ１０７）。
【００４１】
次に、経路変更部２２は、通信部２１を介して各端局装置１３および中継装置３０に品質測定指示を送信する（Ｓ１０８）。そして、劣化度収集部２３は、通信部２１を介して端局装置１３または中継装置３０から品質情報を受信し、受信した品質情報に含まれている信号ＩＤおよび中継装置ＩＤに対応付けて、当該品質情報に含まれている劣化度を経路情報保持部２４に格納する（Ｓ１０９）。そして、再生中継器割当部２６は、後述する第２の再生中継装置割当処理を実行し（Ｓ３００）、劣化度収集部２３は、再びステップＳ１００に示した処理を実行する。
【００４２】
図１０は、第１の再生中継器割当処理（Ｓ２００）の一例を示すフローチャートである。
【００４３】
まず、再生中継器割当部２６は、置換情報の作成が必要である旨を示す置換情報作成フラグに１をセットし（Ｓ２０１）、優先度保持部２５を参照し、未選択の光信号の中で最も優先度が高い光信号の信号ＩＤを１つ選択する（Ｓ２０２）。
【００４４】
次に、再生中継器割当部２６は、経路情報保持部２４および閾値保持部２９を参照して、閾値以上の劣化度が、ステップＳ２０２で選択した信号ＩＤに対応付けられているか否かを判定する（Ｓ２０３）。閾値以上の劣化度が、ステップＳ２０２で選択した信号ＩＤに対応付けられていない場合（Ｓ２０３：Ｎｏ）、再生中継器割当部２６は、ステップＳ２０７に示す処理を実行する。
【００４５】
一方、閾値以上の劣化度が、ステップＳ２０２で選択した信号ＩＤに対応付けられている場合（Ｓ２０３：Ｙｅｓ）、再生中継器割当部２６は、当該閾値以上の劣化度に対応付けられている中継装置ＩＤを経路情報保持部２４から１つ抽出する。なお、ステップＳ２０２で選択した信号ＩＤに閾値以上の劣化度が複数対応付けられている場合、再生中継器割当部２６は、当該閾値以上の劣化度が対応付けられている中継装置ＩＤの中で、ステップＳ２０２で選択した信号ＩＤに対応する光信号の中継経路上において最も上流にある中継装置の中継装置ＩＤを経路情報保持部２４から１つ抽出する。
【００４６】
次に、再生中継器割当部２６は、経路情報保持部２４を参照して、ステップＳ２０２で選択した信号ＩＤに対応付けて、抽出した中継装置ＩＤよりも、ステップＳ２０２で選択した信号ＩＤに対応する光信号の中継経路上において上流にある中継装置の中継装置ＩＤを格納するリストを作成する（Ｓ２０４）。
【００４７】
例えば、図１１に示すように、信号ＩＤが「Ｓ００１」の光信号が、端局装置１３Ａから、中継装置３０Ｄ、中継装置３０Ｅ、中継装置３０Ｆ、中継装置３０Ｉ、および中継装置３０Ｊの順に中継されて端局装置１３Ｂに至る状況で、中継装置３０Ｉから通知された劣化度が閾値以上である場合、再生中継器割当部２６は、例えば図１２に示すようなリスト４０を作成する。なお、図１１において、各中継装置３０内の箱は再生中継器３５を表わしており、黒く塗りつぶされている箱は、再生中継器３５が使用中であることを表わしている。
【００４８】
リスト４０には、ステップＳ２０２で選択した信号ＩＤ４１に対応付けて、当該信号ＩＤ４１に対応する光信号の中継経路上で中継装置３０Ｉの上流にある中継装置３０Ｄの中継装置ＩＤである「３０Ｄ」、中継装置３０Ｅの中継装置ＩＤである「３０Ｅ」、および中継装置３０Ｆの中継装置ＩＤである「３０Ｆ」が格納される。
【００４９】
次に、再生中継器割当部２６は、機器情報保持部２８を参照して、ステップＳ２０４で作成したリストの中継装置ＩＤに対応する中継装置３０の中で、未使用の再生中継器３５を有する中継装置３０が存在するか否かを判定する（Ｓ２０５）。
【００５０】
図１１に示した例では、信号ＩＤが「Ｓ００２」の光信号は中継装置ＩＤが「３０Ｆ」である中継装置３０Ｆ内の再生中継器３５ｆによって再生されており、信号ＩＤが「Ｓ００４」の光信号は中継装置ＩＤが「３０Ｅ」である中継装置３０Ｅ内の再生中継器３５ｅによって再生されており、信号ＩＤが「Ｓ００５」の光信号は中継装置ＩＤが「３０Ｄ」である中継装置３０Ｄ内の再生中継器３５ｄによって再生されている。
【００５１】
この状況は、図４に例示した機器情報保持部２８内の情報からもわかる。図４を参照すると、図１２に例示したリスト４０内に格納されている中継装置ＩＤ「３０Ｄ」、「３０Ｅ」、および「３０Ｆ」は、対応する中継装置３０内の再生中継器３５が全て使用中となっていることがわかる。
【００５２】
未使用の再生中継器３５を有する中継装置３０が存在する場合（Ｓ２０５：Ｙｅｓ）、再生中継器割当部２６は、通信部２１を介して、当該未使用の再生中継器３５を有する中継装置３０へ、ステップＳ２０２で選択した信号ＩＤを含む再生指示を送信する（Ｓ２０６）。なお、当該未使用の再生中継器３５を有する中継装置３０が複数存在する場合、再生中継器割当部２６は、中継経路において、閾値以上の劣化度を報告した中継装置３０の上流であって、当該未使用の再生中継器３５を有する中継装置３０の中で最も下流にある中継装置３０（すなわち、中継経路において閾値以上の劣化度を報告した中継装置３０の直近上流の中継装置３０）へ、ステップＳ２０２で選択した信号ＩＤを含む再生指示を送信する。
【００５３】
次に、再生中継器割当部２６は、ステップＳ２０２において全ての光信号の信号ＩＤを選択したか否かを判定する（Ｓ２０７）。未選択の信号ＩＤがある場合（Ｓ２０７：Ｎｏ）、再生中継器割当部２６は、再びステップＳ２０２に示した処理を実行する。一方、全ての光信号の信号ＩＤを選択した場合（Ｓ２０７）、再生中継器割当部２６は、本フローチャートに示した第１の再生中継器割当処理を終了する。
【００５４】
ステップＳ２０５において、ステップＳ２０４で作成したリストの中に、未使用の再生中継器３５を有する中継装置３０の中継装置ＩＤが存在しない場合（Ｓ２０５：Ｎｏ）、再生中継器割当部２６は、置換情報作成フラグに１がセットされているか否かを判定する（Ｓ２０８）。置換情報作成フラグに１がセットされていない場合（Ｓ２０８：Ｎｏ）、再生中継器割当部２６は、ステップＳ２１０に示す処理を実行する。
【００５５】
一方、置換情報作成フラグに１がセットされている場合（Ｓ２０８：Ｙｅｓ）、再生中継器割当部２６は、後述する置換情報作成処理を実行し（Ｓ２２０）、置換情報作成フラグに０をセットする（Ｓ２０９）。後述する置換情報作成処理が実行されると、置換情報保持部２７には、例えば図８に示すような情報が格納される。置換情報保持部２７を参照すると、光信号の再生を、未使用の他の再生中継器３５に置換させることができる再生中継器３５を有する中継装置３０を特定することができる。
【００５６】
次に、再生中継器割当部２６は、ステップＳ２２０で作成した置換情報保持部２７を参照して、ステップＳ２０４で作成したリスト（図１２参照）の中に、置換可能な再生中継器３５を有する中継装置３０があるか否かを判定する（Ｓ２１０）。具体的には、再生中継器割当部２６は、ステップＳ２０４で作成したリスト内の中継装置ＩＤのいずれかが、ステップＳ２２０で作成した置換情報保持部２７内に使用中装置ＩＤとして登録されているか否かを判定する。
【００５７】
ステップＳ２０４で作成したリストの中に、置換可能な再生中継器３５を有する中継装置３０がある場合（Ｓ２１０：Ｙｅｓ）、再生中継器割当部２６は、当該使用中装置ＩＤとして置換情報保持部２７に登録されている中継装置３０が行っている光信号の再生を、当該使用中装置ＩＤに対応付けられている置換装置ＩＤに対応する他の中継装置３０に置換させる置換処理を実行する（Ｓ２３０）。置換処理の詳細については後述する。そして、再生中継器割当部２６は、置換情報作成フラグに１をセットし（Ｓ２１１）、ステップＳ２０７に示した処理を実行する。
【００５８】
ステップＳ２０４で作成したリストの中に、置換可能な再生中継器３５を有する中継装置３０がない場合（Ｓ２１０：Ｎｏ）、再生中継器割当部２６は、他に割当可能な再生中継器３５が存在しないため信号の劣化を解消できない旨のエラーを、ステップＳ２０２で選択した信号ＩＤと共に不図示の表示装置等に表示し（Ｓ２１２）、ステップＳ２０７に示した処理を実行する。
【００５９】
本フローチャートに示した第１の再生中継器割当処理が実行されることにより、それぞれの光信号の中継経路上の中継装置３０において、光信号の劣化度が閾値以上となった場合に、当該中継経路上に未使用の再生中継器３５を有する中継装置３０があれば、再生中継器割当部２６は、当該再生中継器３５を引き当てて光信号の劣化度を下げることができる。
【００６０】
また、光信号の劣化度が閾値以上となった場合に、中継経路上に未使用の再生中継器３５を有する中継装置３０がない場合でも、中継経路上で使用中の再生中継器３５を他の再生中継器３５に置換することができれば、再生中継器割当部２６は、それによって未使用となった再生中継器３５を引き当てて光信号の劣化度を下げることができる。
【００６１】
図１３は、置換情報作成処理（Ｓ２２０）の一例を示すフローチャートである。
【００６２】
まず、ステップＳ２０２で未選択の信号ＩＤの中で、さらに未選択の信号ＩＤを１つ選択し（Ｓ２２１）、選択した信号ＩＤに対応付けられている中継装置ＩＤを経路情報保持部２４から抽出する。そして、再生中継器割当部２６は、機器情報保持部２８を参照して、抽出した中継装置ＩＤに、再生中継器３５が使用中である旨を示す使用情報が対応付けられているか否かを判定することにより、選択した信号ＩＤに対応する光信号が、中継経路上のいずれかの中継装置３０の再生中継器３５によって再生されているか否かを判定する（Ｓ２２２）。
【００６３】
選択した信号ＩＤに対応する光信号が、中継経路上のいずれの中継装置３０の再生中継器３５でも再生されていない場合（Ｓ２２２：Ｎｏ）、再生中継器割当部２６は、ステップＳ２２９に示した処理を実行する。
【００６４】
一方、選択した信号ＩＤに対応する光信号が、中継経路上のいずれかの中継装置３０の再生中継器３５によって再生されている場合（Ｓ２２２：Ｙｅｓ）、再生中継器割当部２６は、再生中継器３５による再生を停止したと仮定した場合における、中継経路上の各中継装置３０の劣化度を算出する（Ｓ２２３）。
【００６５】
例えば、信号ＩＤが「Ｓ００４」である光信号について、中継経路上の各中継装置３０によって測定された劣化度が、例えば図６の黒丸で示すように分布している場合を考える。図６に示した例では、中継装置３０Ｅ内の再生中継器３５ｅによって光信号が再生されている。
【００６６】
まず、再生中継器割当部２６は、光信号を再生している再生中継器３５Ｅにおいて、当該光信号の再生前の劣化度（図６の黒丸）と、再生後の劣化度（図６の白丸）との差分Δｄ1を算出する。なお、再生前の劣化度（図６の黒丸）は、再生中継器３５Ｅ内の劣化度測定部３４によって測定された値である。また、再生後の劣化度（図６の白丸）は、それぞれの再生中継器３５の再生能力として予め定められた再生後の劣化度が用いられる。
【００６７】
そして、再生中継器割当部２６は、例えば図１４に示すように、算出した差分Δｄ1を、再生を実行している再生中継器３５ｅを有する中継装置３０Ｅよりも、中継経路における下流にある中継装置３０Ｆ、中継装置３０Ｇ、および端局装置１３Ｂによって測定された劣化度に加算することにより、第１の仮想劣化度（図１４の白四角）を算出する。
【００６８】
次に、再生中継器割当部２６は、経路情報保持部２４および機器情報保持部２８を参照して、ステップＳ２２１で選択した信号ＩＤに対応する光信号の中継経路上の中継装置３０において、未使用の再生中継器３５の再生中継器ＩＤを抽出する。そして、再生中継器割当部２６は、抽出した再生中継器ＩＤの中で未選択のものを１つ選択し（Ｓ２２４）、選択した再生中継器ＩＤに対応する再生中継器３５によって再生を行った場合の各中継装置３０における劣化度の分布を計算する（Ｓ２２５）。
【００６９】
例えば、図１４で説明したように算出した第１の仮想劣化度を有する劣化度の分布において、再生中継器割当部２６は、図１５に示すように、未使用の再生中継器３５ｇを有する中継装置３０Ｇにおいて再生を行った場合の劣化度の差分Δｄ2を算出する。そして、再生中継器割当部２６は、算出した差分Δｄ2を、中継装置３０Ｇよりも中継経路における下流の端局装置１３Ｂについて算出された第１の劣化度から差し引いて第２の仮想劣化度として算出する。
【００７０】
例えば図１５に示した例では、ステップＳ２２５による計算が終了した段階で、中継装置３０Ｄおよび中継装置３０Ｅについては測定された劣化度が採用され、中継装置３０Ｆおよび中継装置３０ＧについてはステップＳ２２３において算出された第１の仮想劣化度が採用され、端局装置１３ＢについてはステップＳ２２５において算出された第２の仮想劣化度が採用される。
【００７１】
次に、再生中継器割当部２６は、中継経路上の各中継装置３０において算出された全ての劣化度が、閾値保持部２９が保持している閾値未満か否かを判定する（Ｓ２２６）。中継経路上の各中継装置３０において算出されたいずれかの劣化度が、閾値保持部２９が保持している閾値以上である場合（Ｓ２２６：Ｎｏ）、再生中継器割当部２６は、ステップＳ２２８に示す処理を実行する。
【００７２】
中継経路上の各中継装置３０において算出された全ての劣化度が、閾値保持部２９が保持している閾値未満である場合（Ｓ２２６：Ｙｅｓ）、すなわち、他の再生中継器３５でも置換可能である場合、再生中継器割当部２６は、ステップＳ２２３で停止したと仮定した再生中継器３５を有する中継装置３０の中継装置ＩＤを使用中装置ＩＤとし、ステップＳ２２４で選択中の再生中継器ＩＤに対応する再生中継器３５を有する中継装置３０の中継装置ＩＤを置換装置ＩＤとして、ステップＳ２２１で選択中の信号ＩＤに対応付けて置換情報保持部２７に格納する（Ｓ２２７）。
【００７３】
次に、再生中継器割当部２６は、ステップＳ２２４において、中継経路上の未使用の再生中継器３５を全て選択したか否かを判定する（Ｓ２２８）。未選択の再生中継器３５がある場合（Ｓ２２８：Ｎｏ）、再生中継器割当部２６は、再びステップＳ２２４に示した処理を実行する。一方、中継経路上の未使用の再生中継器３５を全て選択した場合（Ｓ２２８：Ｙｅｓ）、再生中継器割当部２６は、ステップＳ２０２で未選択の信号ＩＤを全て選択したか否かを判定する（Ｓ２２９）。
【００７４】
ステップＳ２０２で未選択の信号ＩＤの中で、未選択の信号ＩＤがある場合（Ｓ２２９：Ｎｏ）、再生中継器割当部２６は、再びステップＳ２２１に示した処理を実行する。一方、ステップＳ２０２で未選択の信号ＩＤを全て選択した場合（Ｓ２２９：Ｙｅｓ）、再生中継器割当部２６は、本フローチャートに示した置換情報作成処理を終了する。
【００７５】
本フローチャートに示した置換情報作成処理が実行されることにより、それぞれの光信号について、再生を行っている場合に、当該再生を未使用の他の再生中継器３５に置換させることができる再生中継器３５を有する中継装置３０を特定するための情報を作成して置換情報保持部２７に登録することができる。
【００７６】
図１６は、置換処理（Ｓ２３０）の一例を示すフローチャートである。
【００７７】
まず、再生中継器割当部２６は、ステップＳ２０４で作成したリスト内で、ステップＳ２２０で作成した情報が格納された置換情報保持部２７内に、使用中装置ＩＤとして登録されている中継装置ＩＤを１つ選択する（Ｓ２３１）。
【００７８】
例えば、ステップＳ２０４で図１２に示すようなリストが作成され、ステップＳ２２０で図８に示すような情報が作成されて置換情報保持部２７に格納されている場合、再生中継器割当部２６は、リスト４０内にあり、かつ、置換情報保持部２７内に使用中装置ＩＤとして登録されている中継装置ＩＤとして、例えば「３０Ｄ」を選択する。
【００７９】
次に、再生中継器割当部２６は、置換情報保持部２７を参照して、ステップＳ２３１で選択した中継装置ＩＤに対応付けられている置換装置ＩＤを１つ選択する（Ｓ２３２）。図８に示す例では、再生中継器割当部２６は、ステップＳ２３１で選択した中継装置ＩＤに対応付けられている置換装置ＩＤとして、例えば「３０Ｇ」を選択する。
【００８０】
次に、再生中継器割当部２６は、ステップＳ２３２で選択した置換装置ＩＤに対応する中継装置３０に、当該置換装置ＩＤに対応付けられている信号ＩＤを含む再生指示を送信する（Ｓ２３３）。図８に示す例では、再生中継器割当部２６は、中継装置ＩＤが「３０Ｇ」の中継装置３０Ｇに、信号ＩＤとして「Ｓ００５」を含む再生指示を通信部２１を介して送信する。
【００８１】
次に、再生中継器割当部２６は、ステップＳ２３１で選択した中継装置ＩＤに対応する中継装置３０に、ステップＳ２０２で選択中の信号ＩＤを含む再生指示を送信し（Ｓ２３４）、再生中継器割当部２６は、本フローチャートに示した置換処理を終了する。図１２に例示したリスト４０には、ステップＳ２０２において選択中の信号ＩＤに対応付けて中継装置ＩＤが格納されるので、再生中継器割当部２６は、図１２に例示した「Ｓ００１」を信号ＩＤとして含む再生指示を、中継装置ＩＤが「３０Ｄ」の中継装置３０へ通信部２１を介して送信する。
【００８２】
本フローチャートに示した置換処理が実行されることにより、中継経路上に未使用の再生中継器３５が存在しない場合でも、再生中継器割当部２６は、中継経路上のいずれかの再生中継器３５による再生を、他の未使用の再生中継器３５に代わりに再生させることができるため、中継経路上に未使用の再生中継器３５を１つ確保することができる。
【００８３】
次に、第２の再生中継器割当処理（Ｓ３００）について説明する。図１７は、第２の再生中継器割当処理（Ｓ３００）の一例を示すフローチャートである。ここで、図９を用いて説明したように、第２の再生中継器割当処理（Ｓ３００）は、光中継システム１０の管理者によって光信号の中継経路が変更された場合に実行される。
【００８４】
例えば、図１８に示すように、信号ＩＤが「Ｓ００１」、「Ｓ００２」、または「Ｓ００３」の光信号が、端局装置１３Ａから、中継装置３０Ａ、中継装置３０Ｆ、中継装置３０Ｂ、および中継装置３０Ｃを介して、端局装置１３Ｂに中継されている場合に、中継装置３０Ａと中継装置３０Ｆの間、および、中継装置３０Ｃと端局装置１３Ｂの間において光回線に障害が発生したと仮定する。
【００８５】
そして、光中継システム１０の管理者は、入力装置１７を介して、「Ｓ００１」、「Ｓ００２」、または「Ｓ００３」の光信号の中継経路を、図１１に示すように変更したと仮定する。なお、信号ＩＤが「Ｓ００２」の光信号は、中継経路の変更前も後も中継装置３０Ｆ内の再生中継器３５ｆによって再生されているものとする。
【００８６】
また、信号ＩＤが「Ｓ００４」または「Ｓ００５」の光信号は、端局装置１３Ａから、中継装置３０Ｄ、中継装置３０Ｅ、中継装置３０Ｆ、および中継装置３０Ｇを介して、端局装置１３Ｂに中継されており、中継経路の変更はないものとする。また、信号ＩＤが「Ｓ００４」の光信号は、中継装置３０Ｅ内の再生中継器３５ｅによって再生されており、信号ＩＤが「Ｓ００５」の光信号は、中継装置３０Ｄ内の再生中継器３５ｄによって再生されているものとする。
【００８７】
図１７の説明に戻る。図１７に示した第２の再生中継器割当処理において、図１０に示した第１の再生中継器割当処理と同一の符号を付した処理は、以下に説明する点を除き、図１０において説明した処理と同様であるため説明を省略する。
【００８８】
図１７に示した第２の再生中継器割当処理のステップＳ２０３において、閾値以上の劣化度が、ステップＳ２０２で選択した信号ＩＤに対応付けられていない場合（Ｓ２０３：Ｎｏ）、再生中継器割当部２６は、後述する再生停止処理を実行する（Ｓ３１０）。
【００８９】
図１９は、再生停止処理（Ｓ３１０）の一例を示すフローチャートである。
【００９０】
まず、再生中継器割当部２６は、ステップＳ２０２で選択中の信号ＩＤについて機器情報保持部２８を参照し、当該信号ＩＤに対応する光信号を再生するために使用中となっている再生中継器３５が存在するか否かを判定する（Ｓ３１１）。図１１に示した中継経路変更後の光中継システム１０において、信号ＩＤが「Ｓ００２」の光信号を例に説明すると、当該光信号は、中継経路変更後の光中継システム１０において、中継装置ＩＤが「３０Ｆ」である中継装置３０Ｆ内の再生中継器３５ｆによって再生されている。
【００９１】
次に、再生中継器割当部２６は、機器情報保持部２８を参照し、ステップＳ２０２で選択中の信号ＩＤの光信号を再生している再生中継器３５を停止することができるか否かを判定する（Ｓ３１２）。例えば、図１１に示した中継経路変更後の光中継システム１０において、「Ｓ００２」の光信号の中継経路上の各端局装置１３および中継装置３０によって測定された劣化度の分布は、例えば図２０のようになるものと仮定する。
【００９２】
再生中継器割当部２６は、光信号を再生している再生中継器３５Ｆにおいて、当該光信号の再生前の劣化度（図６の黒丸）と、再生後の劣化度（図６の白丸）との差分Δｄ3を算出する。なお、再生前の劣化度（図６の黒丸）は、再生中継器３５Ｆ内の劣化度測定部３４によって測定された値である。また、再生後の劣化度（図６の白丸）は、それぞれの再生中継器３５の再生能力として予め定められた再生後の劣化度が用いられる。
【００９３】
そして、再生中継器割当部２６は、例えば図２１に示すように、算出した差分Δｄ3を、再生を実行している再生中継器３５ｆを有する中継装置３０Ｆよりも中継経路における下流の中継装置３０Ｇおよび端局装置１３Ｂの劣化度に加算することにより、再生中継器３５ｆを停止したと仮定した場合の第１の仮想劣化度（図１３の白四角）を算出する。
【００９４】
そして、再生中継器割当部２６は、算出した第１の仮想劣化度が、いずれも閾値保持部２９内の閾値未満か否かを判定する。算出した第１の仮想劣化度が、いずれも閾値保持部２９内の閾値未満である場合、再生中継器割当部２６は、停止すると仮定した再生中継器３５ｆを停止可能な再生中継器３５と判定する。
【００９５】
ステップＳ２０２で選択中の信号ＩＤに対応する光信号を再生している再生中継器３５を停止することができる場合（Ｓ３１３）、再生中継器割当部２６は、当該信号ＩＤを含む再生停止指示を、当該再生中継器３５を有する中継装置３０へ通信部２１を介して送信する（Ｓ３１３）。
【００９６】
次に、再生中継器割当部２６は、当該中継装置３０の中継装置ＩＤに対応付けて機器情報保持部２８に登録されている、当該再生中継器３５の使用情報を「未使用」に修正すると共に、当該再生中継器３５に対応付けられている信号ＩＤを削除し（Ｓ３１４）、再生中継器割当部２６は、本フローチャートに示した再生停止処理を終了する。
【００９７】
ステップＳ２０２で選択中の信号ＩＤに対応する光信号を再生するために使用中となっている再生中継器３５が存在しない場合（Ｓ３１１：Ｎｏ）、または、当該光信号を再生している再生中継器３５を停止することができない場合（Ｓ３１２：Ｎｏ）、再生中継器割当部２６は、本フローチャートに示した再生停止処理を終了する。
【００９８】
再生停止処理が実行されることにより、中継経路の変更で経路の損失が変化し、再生が不要となった光信号について、再生中継器３５の割り当てを解除することができる。従って、光中継システム１０全体の消費電力の無駄を低く抑えることができる。
【００９９】
図２２は、ネットワーク制御装置２０の機能を実現するコンピュータ５０のハードウェア構成の一例を示すハードウェア構成図である。コンピュータ５０は、ＣＰＵ（Central Processing Unit）５１、ＲＡＭ（Random Access Memory）５２、ＲＯＭ（Read Only Memory）５３、ＨＤＤ（Hard Disk Drive）５４、通信インターフェイス（Ｉ／Ｆ）５５、入出力インターフェイス（Ｉ／Ｆ）５６、およびメディアインターフェイス（Ｉ／Ｆ）５７を備える。
【０１００】
ＣＰＵ５１は、ＲＯＭ５３またはＨＤＤ５４に格納されたプログラムに基づいて動作し、各部の制御を行う。ＲＯＭ５３は、コンピュータ５０の起動時にＣＰＵ５１によって実行されるブートプログラムや、コンピュータ５０のハードウェアに依存するプログラム等を格納する。
【０１０１】
ＨＤＤ５４は、ＣＰＵ５１によって実行されるプログラムや当該プログラムによって使用されるデータ等を格納する。通信インターフェイス５５は、管理ネットワークを介して端局装置１３または中継装置３０からデータを受信してＣＰＵ５１へ送ると共に、ＣＰＵ５１が生成したデータを、管理ネットワークを介して端局装置１３または中継装置３０へ送信する。
【０１０２】
ＣＰＵ５１は、入出力インターフェイス５６を介して、ディスプレイやプリンタ等の出力装置、および、キーボードやマウス等の入力装置を制御する。ＣＰＵ５１は、入出力インターフェイス５６を介して、入力装置からデータを取得する。また、ＣＰＵ５１は、生成したデータを、入出力インターフェイス５６を介して出力装置へ出力する。
【０１０３】
メディアインターフェイス５７は、記録媒体５８に格納されたプログラムまたはデータを読み取り、ＲＡＭ５２を介してＣＰＵ５１に提供する。ＣＰＵ５１は、当該プログラムを、メディアインターフェイス５７を介して記録媒体５８からＲＡＭ５２上にロードし、ロードしたプログラムを実行する。記録媒体５８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【０１０４】
コンピュータ５０のＣＰＵ５１は、ＲＡＭ５２上にロードされたプログラムを実行することにより、通信部２１、経路変更部２２、劣化度収集部２３、および再生中継器割当部２６の各機能を実現する。ＲＯＭ５３またはＨＤＤ５４内には、経路情報保持部２４、優先度保持部２５、置換情報保持部２７、機器情報保持部２８、および閾値保持部２９内のデータが格納される。
【０１０５】
コンピュータ５０のＣＰＵ５１は、これらのプログラムを、記録媒体５８から読み取って実行するが、他の例として、ＣＰＵ５１は、他の装置から通信回線を介してこれらのプログラムを取得してもよい。
【０１０６】
以上、本発明の実施の形態について説明した。
【０１０７】
上記説明から明らかなように、本実施形態の光中継システム１０によれば、光信号の再生が必要な場合に再生中継器３５を稼動させることでシステム全体の消費電力の無駄を低く抑えることができる。
【０１０８】
なお、本発明は、上記した実施形態に限定されるものではなく、その要旨の範囲内で数々の変形が可能である。
【０１０９】
例えば、上記した実施形態において、各中継装置３０内には再生中継器３５が１つ設けられたが、本発明はこれに限られず、各中継装置３０には２つ以上の再生中継器３５が設けられてもよい。ただし、この場合でも、中継経路上の複数の中継装置３０によって再生が必要な光信号の再生が実現できるため、各中継装置３０内の再生中継器３５の数を従来よりも少なくする（例えば各中継装置３０の再生中継器３５の数を全信号数未満とする）ことができる。
【０１１０】
また、中継経路上のいずれかの中継装置３０内の再生中継器３５によって再生が必要な光信号の再生が実現できればよいため、中継経路上に再生中継器３５を有さない中継装置３０が存在したとしても、再生が必要な光信号の中継経路上のいずれかの中継装置３０内に再生中継器３５が設けられていればよい。
【符号の説明】
【０１１１】
１０・・・光中継システム、１１・・・通信装置、１２・・・アクセス回線、１３・・・端局装置、１７・・・入力装置、２０・・・ネットワーク制御装置、２１・・・通信部、２２・・・経路変更部、２３・・・劣化度収集部、２４・・・経路情報保持部、２５・・・優先度保持部、２６・・・再生中継器割当部、２７・・・置換情報保持部、２８・・・機器情報保持部、２９・・・閾値保持部、３０・・・中継装置、３１・・・分波器、３２・・・ＷＳＳ、３３・・・合波器、３４・・・劣化度測定部、３５・・・再生中継器、３６・・・通信部、５０・・・コンピュータ、５１・・・ＣＰＵ、５２・・・ＲＡＭ、５３・・・ＲＯＭ、５４・・・ＨＤＤ、５５・・・通信インターフェイス、５６・・・入出力インターフェイス、５７・・・メディアインターフェイス、５８・・・記録媒体
【図１】
2011259132.tif 000003
【図２】
2011259132.tif 000004
【図３】
2011259132.tif 000005
【図４】
2011259132.tif 000006
【図５】
2011259132.tif 000007
【図６】
2011259132.tif 000008
【図７】
2011259132.tif 000009
【図８】
2011259132.tif 000010
【図９】
2011259132.tif 000011
【図１０】
2011259132.tif 000012
【図１１】
2011259132.tif 000013
【図１２】
2011259132.tif 000014
【図１３】
2011259132.tif 000015
【図１４】
2011259132.tif 000016
【図１５】
2011259132.tif 000017
【図１６】
2011259132.tif 000018
【図１７】
2011259132.tif 000019
【図１８】
2011259132.tif 000020
【図１９】
2011259132.tif 000021
【図２０】
2011259132.tif 000022
【図２１】
2011259132.tif 000023
【図２２】
2011259132.tif 000024